(57)【特許請求の範囲】
【請求項１】
排水枡の内周面上部の段部上に床パンの床面と面一状となるように被せられ、外周側から排水を排水枡内に流し込むことのできる排水口カバーであって、
該排水口カバーの前記排水枡の段部上に配置される部位には、固形薬剤を内蔵したカートリッジを着脱可能に取り付けできる収納部が形成され、
該収納部に取り付けられた前記カートリッジの側面または下面には、排水をカートリッジ内へ流入させる流入口と固形薬剤が溶解された薬液の流出口とを兼ねる流入流出口が前記段部上に臨むように開口されていることを特徴とする排水口カバー。
【発明の詳細な説明】
【技術分野】
【０００１】
本発明は、排水枡の上面に被せられる排水口カバーに関するものである。
【背景技術】
【０００２】
従来、特許文献１に開示されているように、キッチンの排水口等の段部に、ヌメリ取り器を一体化した排水口カバーを設置したものが開示されている。
この排水口カバーのヌメリ取り器は、リング状の薬剤収納ケースを装着して、外周上端部に排水の流入孔と下面に溶解液の流出孔を備えている。
【特許文献１】特開２０００−１４４８４０号公報
【発明の開示】
【発明が解決しようとする課題】
【０００３】
特許文献１に開示されているような排水口カバーのヌメリ取り器では、リング状に形成されているため、中央部から排水が排水枡内に流下する構造であり、排水枡の内周壁に沿って流下する排水は少なく、排水枡の内周面に付着するヌメリを良好に除去できないという問題点があった。
【課題を解決するための手段】
【０００４】
本発明は上記従来の問題点に鑑み案出したものであって、排水枡内周壁に付着するヌメリを確実に取ることができる排水口カバーを提供するものであり、その請求項１は、排水枡の内周面上部の段部上に床パンの床面と面一状となるように被せられ、外周側から排水を排水枡内に流し込むことのできる排水口カバーであって、
該排水口カバーの前記排水枡の段部上に配置される部位には、固形薬剤を内蔵したカートリッジを着脱可能に取り付けできる収納部が形成され、
該収納部に取り付けられた前記カートリッジの側面または下面には、排水をカートリッジ内へ流入させる流入口と固形薬剤が溶解された薬液の流出口とを兼ねる流入流出口が前記段部上に臨むように開口されていることである。
【発明の効果】
【０００５】
本発明は、排水枡の内周面上部の段部上に床パンの床面と面一状となるように被せられ、外周側から排水を排水枡内に流し込むことのできる排水口カバーであって、該排水口カバーの前記排水枡の段部上に配置される部位には、固形薬剤を内蔵したカートリッジを着脱可能に取り付けできる収納部が形成され、該収納部に取り付けられた前記カートリッジの側面または下面には、排水をカートリッジ内へ流入させる流入口と固形薬剤が溶解された薬液の流出口とを兼ねる流入流出口が前記段部上に臨むように開口されていることにより、排水枡の段部に排水口カバーを設置した状態では、段部上にカートリッジの流入流出口が位置し、排水枡内に流入する排水の一部がカートリッジの流入流出口からカートリッジ内に入り、カートリッジ内に入った排水により、内部の固形薬剤が溶解されて、溶解された薬液が流入流出口から排水枡の段部上に流れ落ち、段部から下方の排水枡内周面に沿って薬液が流下して、排水枡の内周面のヌメリを良好に取ることができるものとなる。
なお、側面または下方から排水をカートリッジ内に取り入れるものであるため、排水を上部から取り入れるものと比較して髪の毛がカートリッジ内に入り難いものとなり、髪の毛の絡みを防ぐことができるものとなる。
また、排水口カバーが設置された状態では、カートリッジは段部上に配置されて上面からは隠れるために、排水口カバーがすっきりとした設置状態を呈することとなる。
【実施例】
【０００６】
以下、本発明の実施例を図面に基づいて説明する。
図１は、浴室の縦断面構成図であり、図２は、浴室の床面を構成する床パンの平面構成図である。
床パン１の浴槽側Ｂには、床面１ａと連続して凹み状に排水枡２が形成されており、この排水枡２の下面には排水トラップＴＰが設けられ、排水枡２の上面に排水カバー３が覆設されるものである。
【０００７】
図３は、縦断面拡大構成図を示し、排水枡２は、縦方向に延びる内周面２ａの上部部位に略水平な段部２ｂが形成されており、この段部２ｂ上に排水口カバー３が被せられるものである。
【０００８】
排水口カバー３は、図５の分解図で示すように、方形板状に形成されており、その外周四辺のそれぞれの裏側に凹み状に収納部３ａ，３ａ，３ａ，３ａが形成されて、この各収納部３ａにカートリッジ４を着脱可能に取り付けできるように構成されている。
カートリッジ４内には、固形薬剤５を入れることができ、固形薬剤５を入れたカートリッジ４を各収納部３ａ内に嵌め込んで、収納部３ａの側面には、板状の側面蓋６を取り付けて、側面蓋６で側面側を覆蓋できるものである。
【０００９】
図４は、カートリッジ４を取り付けた排水口カバー３の設置状態の要部拡大縦断面構成図であり、排水口カバー３は、図６に示すように、裏側四隅にゴム脚３ｂ，３ｂ，３ｂが垂設されており、このゴム脚３ｂが排水枡２の段部２ｂ上に当接して、排水口カバー３は床パン１の床面１ａと面一状となるように設置できるように構成されており、排水口カバー３を排水枡２に設置した状態で、排水口カバー３の外周側から排水を排水枡２内に流し込むことができるものであり、排水は段部２ｂを通り内周面２ａに沿って下方側へ流下されて、排水枡２の底側に設けられているヘアキャッチャー７に排水が当たり、ヘアキャッチャー７で排水内の髪の毛が集められるように構成されている。
【００１０】
なお、図８は、排水口カバー３に、固形薬剤５を内蔵したカートリッジ４を取り付けた状態の配置構成図であり、カートリッジ４は図９の平面図で、また図１０の側面図で、また図１１の裏面図で示すように、底面４ａには横方向に延びるスリット状の流入流出口４ｂが複数開口形成されており、各流入流出口４ｂ間には仕切りが設けられて、底面４ａ上に固形薬剤５を入れることができるものである。
【００１１】
また、カートリッジ４の長手方向の左右両側には、係止爪片４ｃ，４ｃが一体形成されており、この係止爪片４ｃの先端の突起４ｄが嵌り込む係合溝３ｃを図１２の拡大図で示すように、排水口カバー３の収納部３ａの奥側に形成させておけば、この収納部３ａの係合溝３ｃ内に突起４ｄを係入させて、係止爪片４ｃの弾性により良好に排水口カバー３の収納部３ａにカートリッジ４を着脱可能に取り付けできるものである。
【００１２】
このように、予め排水口カバー３の四辺それぞれの裏側の収納部３ａに、それぞれ固形薬剤５を内蔵したカートリッジ４を取り付けておけば、図４に示すように、排水口カバー３が設置された状態で、排水枡２内に流入する排水の一部がカートリッジ４の底面４ａに下向きに開口されている流入流出口４ｂからカートリッジ内に入り、カートリッジ４内に入った排水により、内部の固形薬剤５が溶解されて、溶解された薬液が同じ流入流出口４ｂから流れ落ちて排水枡２の段部２ｂ上に薬液が落下し、落下した薬液は段部２ｂに沿って更に内周面２ａの上端から内周面２ａの壁伝いに下方側に流下されて、良好に段部２ｂおよび内周面２ａのヌメリを薬液で取ることができ、更には、薬液は下方のヘアキャッチャー７にも流下して、ヘアキャッチャー７のヌメリも良好に取ることができるものである。
【００１３】
なお、カートリッジ４の流入流出口４ｂは、排水枡の段部２ｂ上で下向きに開口しており、排水とともに排水枡２内に流れ込む髪の毛がカートリッジ４内に入り込むことがなく、髪の毛の絡みつきを良好に防ぐことができるものとなる。
また、排水口カバー３の設置状態では、カートリッジ４は上面からは見えないために、排水口カバー３はすっきりとした意匠性を呈して排水枡２の上面に設置できるものである。
なお、固形薬剤５がなくなった場合には、各収納部３ａごとにカートリッジ４を新たなものと交換して取り付けることができるものである。
【００１４】
なお、本例では、カートリッジ４を係止爪片４ｃを用いて収納部３ａ内に着脱できるように構成したが、係止爪片４ｃに限らず、スライド式等の手段で着脱できるものであっても良い。
【００１５】
なお、図１３は、変更例の図４に対応した要部拡大構成図であるが、図１３のように、カートリッジ４の流入流出口４ｂは、排水枡の段部２ｂ上で側面向きに開口していても良く、排水枡２内に流入する排水の一部が流入流出口４ｂからカートリッジ内に入り、カートリッジ４内に入った排水により、内部の固形薬剤５が溶解されて、溶解された薬液が同じ流入流出口４ｂから流れ落ちて排水枡２の段部２ｂ上に薬液が落下し、落下した薬液は段部２ｂに沿って更に内周面２ａの上端から内周面２ａの壁伝いに下方側に流下されて、良好に段部２ｂおよび内周面２ａのヌメリを薬液で取ることができる。
また、排水とともに排水枡２内に流れ込む髪の毛がカートリッジ４内に入り込むことがなく、髪の毛の絡みつきを良好に防ぐことができるものとなる。
【図面の簡単な説明】
【００１６】
【図１】浴室の縦断面構成図である。
【図２】床パンの平面構成図である。
【図３】床パンの排水枡上面に排水口カバーを設置した状態の要部縦断面構成図である。
【図４】図３の要部を更に拡大した拡大構成図である。
【図５】排水口カバーとカートリッジと固形薬剤と側面蓋の分解斜視図である。
【図６】カートリッジを取り付けた状態の排水口カバーの裏面から見た斜視図である。
【図７】排水口カバーに側面蓋を取り付けた状態の斜視構成図である。
【図８】排水口カバーにカートリッジを取り付けた状態の水平面で切断した配置構成図である。
【図９】カートリッジの平面図である。
【図１０】カートリッジの側面図である。
【図１１】カートリッジの裏面図である。
【図１２】カートリッジを排水口カバーの収納部に係止爪片を介し取り付けた状態の要部拡大構成図である。
【図１３】変更例の図４に対応した要部拡大構成図である。
【符号の説明】
【００１７】
１  床パン
１ａ  床面
２  排水枡
２ａ  内周面
２ｂ  段部
３  排水口カバー
３ａ  収納部
３ｂ  ゴム脚
３ｃ  係合溝
４  カートリッジ
４ａ  底面
４ｂ  流入流出口
４ｃ  係止爪片
５  固形薬剤
６  側面蓋
７  ヘアキャッチャー
【図１】
0004611165.tif 000002
【図２】
0004611165.tif 000003
【図３】
0004611165.tif 000004
【図４】
0004611165.tif 000005
【図５】
0004611165.tif 000006
【図６】
0004611165.tif 000007
【図７】
0004611165.tif 000008
【図８】
0004611165.tif 000009
【図９】
0004611165.tif 000010
【図１０】
0004611165.tif 000011
【図１１】
0004611165.tif 000012
【図１２】
0004611165.tif 000013
【図１３】
0004611165.tif 000014